(57)【要約】【課題】使用環境に応じて適切に無線通信を行うことができる照明器具を提供する。【解決手段】無線通信により端末装置６０又は第１の照明器具から受信した情報を第２の照明器具に転送する照明器具であって、光源と、第１の情報を端末装置６０又は第１の照明器具１から受信する受信部と、第１の情報に含まれる第１のホッピング回数から１を減算することで第２のホッピング回数を取得するホッピング回数取得部３２と、第２のホッピング回数が１以上である場合、第１の情報に含まれる点灯状態、及び、第２のホッピング回数を含む第２の情報を第２の照明器具に送信する送信部と、第２の情報を繰り返し送信する送信回数を決定する送信回数決定部３３とを備える。送信回数決定部３３は、第１のホッピング回数が少ないほど少ない回数を送信回数として決定し、送信部は、第２の情報の送信を送信回数繰り返す。【選択図】図１
2018133217.tif 000002
【特許請求の範囲】
【請求項１】
無線通信により端末装置又は第１の照明器具から受信した情報を第２の照明器具に転送するマルチホップ機能を備える照明器具であって、
光源と、
前記照明器具の点灯状態、及び、第１のホッピング回数に関する情報を含む第１の情報を前記端末装置又は前記第１の照明器具から受信する受信部と、
前記第１の情報に含まれる前記第１のホッピング回数から１を減算することで第２のホッピング回数を取得するホッピング回数取得部と、
前記第２のホッピング回数が１以上である場合、前記点灯状態、及び、前記第２のホッピング回数に関する情報を含む第２の情報を前記第２の照明器具に送信する送信部と、
前記第２の情報を前記第２の照明器具に繰り返し送信する送信回数を決定する送信回数決定部とを備え、
前記送信回数決定部は、前記第１のホッピング回数が少ないほど少ない回数を前記送信回数として決定し、
前記送信部は、前記送信回数決定部が決定した前記送信回数、前記第２の情報の送信を繰り返す
照明器具。
【請求項２】
前記照明器具が前記端末装置から前記第１の情報を受信した場合には、前記送信回数決定部は、３以上の回数を前記送信回数として決定し、
前記照明器具が前記第１の照明器具から前記第１の情報を受信した場合には、前記送信回数決定部は、前記第１の照明器具が送信した回数であり前記第１のホッピング回数に対応する送信回数である第１の送信回数から１を減算した第２の送信回数を前記第２のホッピング回数に対応する前記送信回数として決定する
請求項１に記載の照明器具。
【請求項３】
無線通信により受信した情報を他の照明器具に転送するマルチホップ機能を備える照明器具を操作するための端末装置であって、
前記端末装置は、
通常使用モードと非通常使用モードとの切り替えを受け付けるモード取得部と、
ユーザから照明器具の点灯状態を受け付ける入力部と、
ホッピング回数を決定するホッピング回数決定部と、
前記点灯状態、及び、前記ホッピング回数に関する情報を含む制御情報を前記照明器具に送信する出力部とを備え、
前記ホッピング回数決定部は、前記通常使用モードに設定されている場合には、予め定められているホッピング回数が前記制御情報として送信するホッピング回数であると決定し、前記非通常使用モードに設定されている場合には、前記制御情報として送信するホッピング回数は１回であると決定する
端末装置。
【発明の詳細な説明】
【技術分野】
【０００１】
本発明は、無線通信機能を有する照明器具、及び、当該照明器具を操作する端末装置に関する。
【背景技術】
【０００２】
従来、無線通信機能を有する照明器具が知られている。無線通信機能を有する照明器具は、無線通信用のアンテナを備え、当該アンテナが受信した無線信号（制御情報）に応じた処理を行う（例えば、特許文献１参照）。
【先行技術文献】
【特許文献】
【０００３】
【特許文献１】特開２０１３−１４５６３４号公報
【発明の概要】
【発明が解決しようとする課題】
【０００４】
ところで、複数の照明器具の制御を行う場合、照明器具と端末装置との無線通信だけではなく、照明器具間で直接無線通信することが行われている。例えば、照明器具の点灯状態を制御する制御情報を端末装置又は第１の照明器具から受信した照明器具は、第２の照明器具に対して当該制御情報を転送するマルチホップ通信が行われている。これにより、端末装置からの制御情報を複数の照明器具に受信させることができる。
【０００５】
しかしながら、制御する照明器具の数が多くなると、マルチホップ通信により送信される制御情報も多くなる。そのため、制御情報を有する無線信号同士が干渉しあい、照明器具が制御情報を受信できない場合がある。また、店舗で照明器具のデモを行う場合など、特定の照明器具のみを動作させたいときに、端末装置からの制御情報を受信した照明器具がマルチホップ通信を行うことでユーザが意図していない照明器具まで動作してしまうことがある。
【０００６】
そこで、本発明は、このような課題に鑑みてなされたものであり、使用環境に応じて適切に無線通信を行うことができる照明器具及び端末装置を提供することを目的とする。
【課題を解決するための手段】
【０００７】
上記目的を達成するために、本発明の一態様に係る照明器具は、無線通信により端末装置又は第１の照明器具から受信した情報を第２の照明器具に転送するマルチホップ機能を備える照明器具であって、光源と、前記照明器具の点灯状態、及び、第１のホッピング回数に関する情報を含む第１の情報を前記端末装置又は前記第１の照明器具から受信する受信部と、前記第１の情報に含まれる前記第１のホッピング回数から１を減算することで第２のホッピング回数を取得するホッピング回数取得部と、前記第２のホッピング回数が１以上である場合、前記点灯状態、及び、前記第２のホッピング回数に関する情報を含む第２の情報を前記第２の照明器具に送信する送信部と、前記第２の情報を前記第２の照明器具に繰り返し送信する送信回数を決定する送信回数決定部とを備え、前記送信回数決定部は、前記第１のホッピング回数が少ないほど少ない回数を前記送信回数として決定し、前記送信部は、前記送信回数決定部が決定した前記送信回数、前記第２の情報の送信を繰り返す。
【０００８】
上記目的を達成するために、本発明の一態様に係る端末装置は、無線通信により受信した情報を他の照明器具に転送するマルチホップ機能を備える照明器具を操作するための端末装置であって、前記端末装置は、通常使用モードと非通常使用モードとの切り替えを受け付けるモード取得部と、ユーザから照明器具の点灯状態を受け付ける入力部と、ホッピング回数を決定するホッピング回数決定部と、前記点灯状態、及び、前記ホッピング回数に関する情報を含む制御情報を前記照明器具に送信する出力部とを備え、前記ホッピング回数決定部は、前記通常使用モードに設定されている場合には、予め定められているホッピング回数が前記制御情報として送信するホッピング回数であると決定し、前記非通常使用モードに設定されている場合には、前記制御情報として送信するホッピング回数は１回であると決定する。
【発明の効果】
【０００９】
本発明の一態様に係る照明器具及び端末装置によれば、使用環境に応じて適切に無線通信を行うことができる。
【図面の簡単な説明】
【００１０】
【図１】実施の形態１に係る照明システムの全体構成を示すブロック図である。
【図２】実施の形態１に係るホッピング回数と送信回数とが関連付けられたテーブルの一例を示す図である。
【図３】実施の形態１に係る照明器具の動作を示すフローチャートである。
【図４】実施の形態１に係る通信パケットのデータ構成を説明するための模式図である。
【図５Ａ】リモコンが通常使用モードで動作している場合の制御情報の転送経路を含む、実施の形態２に係る照明システムの全体構成を示すブロック図である。
【図５Ｂ】リモコンが非通常使用モードで動作している場合の制御情報の転送経路を含む、実施の形態２に係る照明システムの全体構成を示すブロック図である。
【図６】実施の形態２に係るリモコンの動作を示すフローチャートである。
【発明を実施するための形態】
【００１１】
以下では、本発明の実施の形態について、図面を用いて詳細に説明する。以下に説明する実施の形態は、いずれも本発明の一具体例を示すものである。したがって、以下の実施の形態で示される数値、形状、材料、構成要素、構成要素の配置、構成要素の接続形態、ステップ、及び、ステップの順序などは、一例であり、本発明を限定する主旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。なお、各図において、実質的に同一の構成に対しては同一の符号を付しており、重複する説明は省略又は簡略化される場合がある。
【００１３】
（実施の形態１）
以下、本実施の形態に係る照明器具を含む照明システムについて、図１〜図４を参照しながら説明する。本実施の形態では、屋内に設置された複数の照明器具を制御する場合について説明する。
【００１４】
［１．照明システムの構成］
まず、本実施の形態に係る照明システム１について、図１を参照しながら説明する。図１は、本実施の形態に係る照明システム１の全体構成を示すブロック図である。
【００１５】
本実施の形態に係る照明システム１は、複数の照明器具（例えば、照明器具１０ａ、１０ｂ）及び端末装置６０を備える。複数の照明器具及び端末装置６０は、無線通信機能を有しており、複数の照明器具は、端末装置６０からの制御情報に基づいて点灯状態を変更する。なお、図１では、照明器具が２台である例を示しているが、照明システム１が備える照明器具の数は特に限定されず、２台以上であればよい。
【００１６】
［１−１．照明器具］
次に、本実施の形態に係る照明器具１０ａ及び１０ｂの構成について、図１を参照しながら説明する。なお、図１では、２台の照明器具１０ａ及び１０ｂを示しているが、それぞれの構成は同一であるため、主に照明器具１０ａについて説明する。
【００１７】
照明器具１０ａは、屋内に設置され、空間を照らす屋内用の照明器具である。照明器具１０ａは、電力が供給され、供給された電力により点灯することで、照明器具１０ａが設置された空間を照明する。
【００１８】
照明器具１０ａは、例えば、シーリングライト、スポットライト又はペンダントライトなどである。複数の照明器具は、それぞれ同じ種類のライトであってもよいし、異なる種類のライトであってもよい。例えば、照明器具１０ａはシーリングライトであり、照明器具１０ｂはスポットライトであってもよい。
【００１９】
図１に示すように、照明器具１０ａは、無線通信部２０、制御部３０、光源部４０及び記憶部５０を備える。
【００２０】
無線通信部２０は、無線通信を行う無線通信インターフェースである。無線通信部２０は、無線通信の通信相手装置との間で無線通信接続を確立したうえで、通信相手装置と無線通信を行う。本実施の形態では、無線通信部２０は、端末装置６０又は他の照明器具（本実施の形態では、照明器具１０ｂ）との無線通信接続を確立する。無線通信部２０は、端末装置６０からの制御情報を受信する受信部の一例であり、また他の照明器具へ制御情報を送信する送信部の一例でもある。
【００２１】
無線通信とは、一例として、Ｂｌｕｅｔｏｏｔｈ（登録商標）の通信規格を用いた無線通信である。その場合、無線通信部２０は、Ｂｌｕｅｔｏｏｔｈ（登録商標）の通信規格に対応した通信モジュール（通信回路）である。なお、Ｂｌｕｅｔｏｏｔｈ（登録商標）の通信規格に限定されず、無線ＬＡＮ（例えば、Ｗｉ−Ｆｉ（登録商標））などの通信規格を用いた無線通信であってもよい。
【００２２】
また、詳細は後述するが、本実施の形態に係る複数の照明器具（例えば、照明器具１０ａ、１０ｂ）は、マルチホップ通信を行う。具体的には、照明器具１０ａは端末装置６０からの制御情報を無線通信部２０を介して受信すると、端末装置６０からの制御情報を受信していない照明器具１０ｂに対して当該制御情報を無線通信部２０を介して送信する。言い換えると、照明器具１０ａは、端末装置６０から受信した制御情報を照明器具１０ｂに転送する。つまり、照明器具１０ａ、１０ｂは、マルチホップ機能を有する照明器具であり、照明器具１０ｂは、照明器具１０ａを介して端末装置６０からの制御情報を受信する。なお、マルチホップ通信の通信経路は、一例としてメッシュ型であるが、特に限定されず、スター型又はツリー型であってもよい。また、例えば、記憶部５０は転送するための情報である経路情報を記憶しており、制御部３０は当該経路情報に応じて制御情報を他の照明器具に転送してもよい。
【００２３】
制御部３０は、無線通信部２０（受信部）を介して照明器具の点灯状態に関する制御情報を受信し、受信した制御情報に従って照明器具１０ａの点灯状態を制御する制御装置である。具体的には、制御部３０は、光源部４０を制御することにより、照明器具１０ａの点灯状態を制御する。制御部３０は、記憶部５０に記憶された制御プログラムを実行するプロセッサであるが、マイクロコンピュータ、または専用回路などにより実現されてもよい。
【００２４】
ここで、照明器具１０ａの点灯状態とは、照明器具１０ａが照明光を発することである点灯、照明光を発しないことである消灯、点灯と消灯とを繰り返す点滅、照明光の強度を変更又は調整することである調光、及び、照明光の色合いを変更又は調整することである調色などを含む。また、制御情報とは、ユーザが端末装置６０で操作した、照明器具の点灯状態に関する指示を含む。
【００２５】
また、制御部３０は、送信元判定部３１、ホッピング回数取得部３２及び送信回数決定部３３を有する。
【００２６】
送信元判定部３１は、無線通信部２０を介して受信した制御情報の送信元を特定する処理部である。送信元判定部３１は、受信した制御情報である通信パケットに含まれる送信元アドレス（ソースアドレス）から送信元を特定する。例えば、記憶部５０に記憶されている機器ごとのデバイスＩＤと、受信した通信パケットに含まれる送信元アドレスとから、送信元を特定する。なお、送信元アドレスとは、例えば、送信元の端末装置又は照明器具に固有の識別番号（例えば、デバイスＩＤ）である。また、通信パケットには、送信元アドレス、送信先アドレス、ホッピング回数及び点灯状態に関する情報が含まれる。
【００２７】
ホッピング回数取得部３２は、受信した制御情報に含まれるホッピング回数（第１のホッピング回数の一例）から１を減算したホッピング回数（第２のホッピング回数の一例）を取得する。ホッピング回数取得部３２が取得した第２のホッピング回数が１以上である場合、制御部３０は無線通信部２０を介して他の照明器具に対して制御情報を送信する。つまり、照明器具１０ａは、制御情報を他の照明器具に転送する。また、第２のホッピング回数が０回である場合、制御部３０は他の照明器具に対して制御情報を送信しない。つまり、照明器具１０ａは、制御情報を他の照明器具に転送しない。これは、１つの制御情報が複数の照明器具間で転送され続けることを抑制するためである。なお、ホッピング回数は、例えば、通信パケットのうちの１オクテットで表される情報である。
【００２８】
ここで、ホッピング回数とは、機器から機器（例えば、端末装置６０から照明器具１０ａ、又は、照明器具１０ａから照明器具１０ｂなど）へ制御情報を送信できる回数を示す。ホッピング回数は、制御情報の発信元である端末装置６０で設定される。例えば、ユーザがホッピング回数を設定する。
【００２９】
なお、以降の説明において、一例として、端末装置６０から送信される制御情報に含まれるホッピング回数は、３回である場合について説明する。この場合、端末装置６０又は照明器具１０ａ、１０ｂは、合計３回まで制御情報を送信できる。端末装置６０は、ホッピング回数を３回として制御情報を照明器具１０ａに送信する。照明器具１０ａは端末装置６０からの制御情報を受信し、受信したホッピング回数から１を減算する。ホッピング回数取得部３２は、受信したホッピング回数（第１のホッピング回数の一例）は３回であるので、１を減算したホッピング回数（第２のホッピング回数の一例）は２回とする。これは、端末装置６０から照明器具１０ａに制御情報が送信されたことを１回送信したとカウントするためである。なお、図１中のＴＴＬ（Ｔｉｍｅ  ｔｏ  ｌｉｖｅ）＝３とは、制御情報に含まれるホッピング回数が３回であることを示しており、図１中のＴＴＬ＝２とは、制御情報に含まれるホッピング回数が２回であることを示している。
【００３０】
そして、第２のホッピング回数が２回である、つまりまだ送信が可能であるので、照明器具１０ａは照明器具１０ｂに対して第２のホッピンング回数を含む制御情報を送信する。照明器具１０ｂは受信した制御情報に含まれるホッピング回数（具体的には、２回）から１を減算する。これは、照明器具１０ａから照明器具１０ｂに制御情報が送信されたことを１回送信したとカウントするためである。この場合、減算されたホッピング回数は１回となる。照明器具１０ｂは、ホッピング回数が１回であることを含む制御情報を別の照明器具（図示しない）に送信する。別の照明器具は、受信した制御情報に含まれるホッピング回数から１を減算する。これは、照明器具１０ｂから別の照明器具に制御情報が送信されたことを１回送信したとカウントするためである。この場合、減算されたホッピング回数は０回となる。つまり、別の照明器具は、ホッピング回数が０回であるので、制御情報を他の照明器具に送信しない。
【００３１】
上記のように、ホッピング回数取得部３２は、無線通信部２０を介して受信した制御情報に含まれるホッピング回数から１を減算し、制御部３０は減算したホッピング回数が１回以上であれば、無線通信部２０を介して他の照明器具に制御情報を送信する制御を行う。
【００３２】
送信回数決定部３３は、照明器具１０ａが他の照明器具に制御情報を繰り返し送信する回数を決定する処理部である。上記で説明したように、第２のホッピング回数が１回以上であれば、当該照明器具は制御情報を他の照明器具に送信する。例えば、照明器具１０ａは照明器具１０ｂに制御情報を送信する。この場合、照明器具１０ａは照明器具１０ｂに対して、複数回繰り返して制御情報を送信する。これは、照明器具１０ｂが照明器具１０ａからの制御情報を受信する確率である受信確率を向上させるためである。
【００３３】
詳細は後述するが、送信回数決定部３３は受信した制御情報に含まれるホッピング回数に応じて制御情報を繰り返し送信する回数である送信回数を決定する。本実施の形態では、ホッピング回数が少ないほど、繰り返し送信する回数が少なくなるように送信回数を決定する。例えば、上記で示したように、照明器具１０ａが端末装置６０から受信した制御情報に含まれるホッピング回数と、照明器具１０ｂが照明器具１０ａから受信した制御情報に含まれるホッピング回数とは異なる。具体的には、後者のホッピング回数は、前者のホッピング回数より１少ない。この場合、照明器具１０ａが照明器具１０ｂに制御情報を送信する送信回数と、照明器具１０ｂが別の照明器具に制御情報を送信する送信回数とでは、前者の送信回数の方が多くなるように送信回数決定部３３は、送信回数を決定する。例えば、送信回数決定部３３は、端末装置６０から送信されたホッピング回数（以降、最大ホッピング回数とも記載する）をｎとし、制御情報がホッピングされた回数をｍとすると、送信回数を（ｎ−ｍ）回としてもよい。また、記憶部５０に記憶されているホッピング回数と送信回数とが関連付けられたテーブルから、送信回数を決定してもよい。なお、制御情報には、最大ホッピング回数を示す情報が含まれていてもよい。例えば、送信回数決定部３３は、最大ホッピング回数と第１のホッピング回数とから、ホッピングされた回数ｍを取得してもよい。
【００３４】
図２は、ホッピング回数と送信回数とが関連付けられたテーブル７０の一例を示す図である。具体的には、受信した制御情報に含まれるホッピング回数である第１のホッピング回数と送信回数とが関連付けられたテーブル７０である。図２に示すように、第１のホッピング回数が少ないほど、送信回数が少なくなるようにテーブル７０が作成される。なお、図２では、第１のホッピング回数が１回減るたびに送信回数が１回減る例を示しているが、これに限定されない。例えば、第１のホッピング回数が１回減るたびに送信回数が２回減ってもよいし、その他でもよい。
【００３５】
光源部４０は、照明光を発する光源である。光源部４０は、ＬＥＤ（Ｌｉｇｈｔ  Ｅｍｉｔｔｉｎｇ  Ｄｉｏｄｅ）などにより実現されるが、白熱電球又は蛍光灯などにより実現されてもよい。または、半導体レーザ、有機ＥＬ（Ｅｌｅｃｔｒｏ  Ｌｕｍｉｎｅｓｃｅｎｃｅ）、無機ＥＬなどにより実現されてもよい。
【００３６】
記憶部５０は、制御部３０が実行する制御プログラム、及び、テーブル７０などが記憶される記憶装置である。例えば、記憶部５０は、フラッシュメモリ又は半導体メモリなどにより実現される。
【００３７】
［１−２．端末装置］
端末装置６０は、複数の照明器具を制御する制御装置である。本実施の形態では、端末装置６０は、照明器具１０ａ、１０ｂを制御する。本実施の形態では、端末装置６０は、無線通信により照明器具１０ａと直接通信する。
【００３８】
端末装置６０は、例えば、スマートフォンつまり高機能携帯電話端末、携帯電話端末、タブレット端末、専用に開発されたコントローラ端末（以降、リモコンと記載する）、又はＰＣ（Ｐｅｒｓｏｎａｌ  Ｃｏｍｐｕｔｅｒ）等により実現される。なお、本実施の形態では、端末装置６０はスマートフォンである。端末装置６０がスマートフォンである場合、専用のアプリケーションをダウンロードし、照明器具との操作に関する初期設定を行うことで、当該照明器具をスマートフォンから操作可能となる。
【００３９】
端末装置６０は、複数の照明器具の中から１台の照明器具に対して、制御情報を送信する。端末装置６０は、アプリケーション上で自動的に通信する照明器具を１台選定する。例えば、端末装置６０は、照明器具それぞれから受信した信号の強度（ＲＳＳ１：Ｒｅｃｅｉｖｅｄ  Ｓｉｇｎａｌ  Ｓｔｒｅｎｇｔｈ  Ｉｎｄｉｃａｔｏｒ）に基づいて、通信する照明器具を選定する。例えば、端末装置６０が受信した信号強度が最も高い照明器具を通信する照明器具として選定してもよい。なお、以降において、選定された照明器具（端末装置６０と直接通信する照明器具）を、Ｂｒｉｄｇｅ器具とも記載する。図１では、照明器具１０ａがＢｒｉｄｇｅ器具である例を示している。
【００４０】
なお、照明システム１は端末装置６０を１台備える例について説明したが、照明システム１が備える端末装置６０の台数は特に限定されない。また、端末装置６０と照明器具とは１対１で無線通信を行うため、他の端末装置は端末装置６０と通信している照明器具（例えば、照明器具１０ａ）とは通信することはできない。例えば、端末装置６０がスリープモードとなると、端末装置６０と、当該端末装置６０と通信していた照明器具との通信は、切断される。これにより、他の端末装置は端末装置６０と通信していた照明器具との通信ができるようになる。
【００４１】
［２．照明器具の動作］
続いて、照明器具１０ａ及び１０ｂの動作について、図３を参照しながら説明する。図３は、本実施の形態に係る照明器具１０ａ、１０ｂの動作を示すフローチャートである。
【００４２】
まず、Ｂｒｉｄｇｅ器具である照明器具１０ａ、つまり端末装置６０から直接制御情報を受信する照明器具１０ａの動作について説明する。
【００４３】
照明器具１０ａは、無線通信部２０を介して端末装置６０から制御情報を受信する。具体的には、照明器具１０ａは、照明システム１が備える複数の照明器具の点灯状態、及び、ホッピング回数に関する情報を端末装置６０から受信する（Ｓ１０でＹｅｓ）。なお、照明器具１０ａが端末装置６０から受信した制御情報に含まれるホッピング回数は、第１のホッピング回数の一例である。上記で説明したように、第１のホッピング回数は一例として３回である。また、端末装置６０から受信した点灯状態及び第１のホッピング回数に関する情報を含む制御情報は、第１の情報の一例である。つまり、照明器具１０ａは、照明器具の点灯状態、及び、第１のホッピング回数に関する情報を含む第１の情報を無線通信部２０（受信部）を介して受信する。制御部３０は、受信した第１の情報を記憶部５０に記憶してもよい。
【００４４】
なお、照明器具１０ａが制御情報を受信していない場合（Ｓ１０でＮｏ）、照明器具１０ａは制御情報を受信するまで待機している。
【００４５】
送信元判定部３１は、無線通信部２０を介して制御情報を受信すると、制御情報の送信元の判定を行う。具体的には、制御情報に含まれる送信元アドレスと記憶部５０に記憶されている機器ごとのデバイスＩＤとから、送信元を判定する。本実施の形態では、送信元判定部３１は端末装置６０が送信元であると判定する。
【００４６】
次に、ホッピング回数取得部３２は、受信した制御情報から、第１のホッピング回数を取得する。上記でも説明したように第１のホッピング回数は３回であるので、ホッピング回数取得部３２は、第１のホッピング回数として３回を取得する。そして、ホッピング回数取得部３２は、第１のホッピング回数から１を減算した第２のホッピング回数を取得し（Ｓ２０）、制御部３０は取得した第２のホッピング回数が１回以上であるか否かを判定する（Ｓ３０）。第２のホッピング回数が１以上である場合（Ｓ３０でＹｅｓ）、制御部３０は制御情報を他の照明器具に送信すると判定する。
【００４７】
また、第２のホッピング回数が１以上ではない、つまり第２のホッピング回数が０回であった場合（Ｓ３０でＮｏ）、制御部３０は制御情報を他の照明器具に送信しないと判定する。制御部３０が当該判定を行った場合、制御部３０は制御情報の送信における処理を終了する。
【００４８】
ステップＳ３０でＹｅｓであった場合、制御部３０は端末装置６０から受信した第１の情報と、ホッピング回数取得部３２で取得された第２のホッピング回数とから、他の照明器具に送信するための情報である第２の情報を生成する（Ｓ４０）。例えば、制御部３０は、受信した第１の情報に含まれるホッピング回数を第２のホッピング回数に更新することで第２の情報を生成する。なお、送信元アドレス及び送信先アドレスも更新される。
【００４９】
ここで、照明器具１０ａが端末装置６０から受信する第１の情報、及び、照明器具１０ａが他の照明器具に送信する第２の情報について、図４を用いて説明する。図４は、本実施の形態に係る通信パケットのデータ構成を説明するための模式図である。具体的には、図４の（ａ）は第１の情報における通信パケット８０ａの一例を示しており、図４の（ｂ）は第２の情報における通信パケット８０ｂの一例を示している。
【００５０】
図４の（ａ）及び図４の（ｂ）に示すように、通信パケットは、送信元アドレス、送信先アドレス、ホッピング回数及び照明器具の点灯状態に関する情報（図４の（ａ）及び図４の（ｂ）中の点灯情報）を含む。
【００５１】
図４の（ａ）に示す通信パケット８０ａに含まれるホッピング回数は第１のホッピング回数であり、送信元アドレスは端末装置６０のデバイスＩＤであり、送信先アドレスは照明器具１０ａのデバイスＩＤである。また、点灯状態に関する情報（以降、点灯情報と記載する）とは、ユーザが端末装置６０に入力した照明器具に対する指示を示す情報である。例えば、図４の（ａ）では、点灯情報は照明器具の調光レベル及び調色レベルを含む情報である例を示している。
【００５２】
図４の（ｂ）は、照明器具１０ａが他の照明器具（例えば、照明器具１０ｂ）に送信する第２の情報における通信パケット８０ｂの一例を示している。通信パケット８０ｂに含まれるホッピング回数は第２のホッピング回数であり、送信元アドレスは照明器具１０ａのデバイスＩＤであり、送信先アドレスは照明器具１０ｂのデバイスＩＤである。第２の情報に含まれる点灯情報は、第１の情報に含まれる点灯情報と同じ情報である。つまり、第２の情報に含まれる点灯情報は、端末装置６０から送信された情報である。これにより、端末装置６０が送信した点灯情報は、照明器具１０ａを介して照明器具１０ｂに送信される。言い換えると、照明器具１０ａは、制御情報を照明器具１０ｂ（他の照明器具の一例）に転送する。
【００５３】
ステップＳ４０で他の照明器具に送信するための第２の情報が生成されると、送信回数決定部３３は第２の情報を送信する送信回数を決定する（Ｓ５０）。なお、送信回数とは、照明器具１０ａが他の照明器具に第２の情報を繰り返し送信する回数である。
【００５４】
照明器具１０ａが端末装置６０から制御情報を受信したことは、送信元判定部３１により判定されている。送信回数決定部３３は、端末装置６０から制御情報を受信した場合、例えば３回以上の回数を送信回数であると決定する。端末装置６０から制御情報を受信した照明器具１０ａが送信回数を３回以上とすることで、送信先（転送先）である他の照明器具を含め、照明システム１が備える複数の照明器具がより確実に制御情報を受信できる。例えば、記憶部５０は送信元が端末装置６０である場合の送信回数を記憶しており、送信回数決定部３３は記憶部５０から読み出した当該送信回数を他の照明器具への制御情報の送信回数であると決定してもよい。また、例えば、送信回数決定部３３は、テーブル７０から送信回数を決定してもよいし、予め定められた計算式により送信回数を決定してもよい。また、端末装置６０から受信した第１のホッピング回数が多いほど、送信回数を多く決定してもよい。例えば、送信回数決定部３３は、テーブル７０から送信回数を３回に決定する。
【００５５】
送信回数が決定されると、制御部３０は無線通信部２０を介して第２の情報を他の照明器具（例えば、照明器具１０ｂ）に繰り返し送信する（Ｓ６０）。例えば、制御部３０は、送信回数である３回繰り返して第２の情報を送信する。言い換えると、無線通信部２０（送信部）は、送信回数決定部３３が取得した送信回数、第２の情報の送信を繰り返す。なお、照明器具１０ａが第２の情報を送信する送信先である他の照明器具（例えば、照明器具１０ｂ）は、第２の照明器具の一例である。第２の照明器具は、１台であってもよく、複数台であってもよい。
【００５６】
なお、無線通信部２０は、第２の情報を送信する際、複数の無線チャネルを用いて第２の情報を送信してもよい。例えば、無線通信部２０は、３つのチャネルを用いて第２の情報を送信してもよい。例えば、照明システム１に含まれていない電子機器（例えば、電子レンジ又は無線通信機能を有する電子機器）が発する電波などの電波環境により照明器具の受信状態が変わるので、複数のチャネルを用いて第２の情報を送信することで第２の情報の受信確率を向上させることができる。例えば、受信側の照明器具（例えば、照明器具１０ｂ）は、所定時間間隔ごとに受信チャネルを変えながら第２の情報の受信を行っている。例えば、所定時間間隔とは５ｍｓなどである。
【００５７】
複数のチャネルを用いて第２の情報を送信している場合、複数のチャネルごとに第２の情報を送信したことを１回送信したとカウントする。送信回数が３回であるので、複数のチャネルごとに第２の情報を送信することを、３回繰り返す。つまり、照明器具１０ａは、合計９回、第２の情報を送信する。
【００５８】
そして、制御部３０は、無線通信部２０を介して第２の情報を送信すると、第１の情報に含まれる制御情報（点灯情報）に基づいて、光源部４０の動作を制御する。例えば、制御部３０が照明器具１０ａを点灯させる制御情報を受信した場合、制御部３０は光源部４０を点灯させる。また、制御部３０が照明器具１０ａを点滅させる制御情報を受信した場合、制御部３０は光源部４０を点滅させる。具体的には、制御部３０は光源部４０へ電力を供給する駆動回路（図示しない）を制御することで、光源部４０の点灯状態を変化させる。
【００５９】
上記のように、照明器具１０ａは、無線通信により端末装置６０から受信した第１の情報から第２の情報を生成し、当該第２の情報を第２の照明器具に送信する。言い換えると、Ｂｒｉｄｇｅ器具である照明器具１０ａは、端末装置６０から受信した情報を第２の照明器具に転送する役割を有する。照明器具１０ａは、第２の照明器具に第２の情報を３回以上送信することで、第２の照明器具が照明器具１０ａから第２の情報を受信する受信確率が向上する。第２の照明器具が第２の情報を受信することで、第２の照明器具がさらに他の照明器具に第２の情報を送信することができるので、照明システム１が備える複数の照明器具が制御情報を受信できる受信確率を向上させることができる。
【００６０】
続いて、Ｂｒｉｄｇｅ器具である照明器具１０ａから制御情報を受信する照明器具１０ｂの動作について説明する。なお、照明器具１０ａと同じ動作については、説明を省略する場合がある。
【００６１】
照明器具１０ｂは、無線通信部２０を介して照明器具１０ａから制御情報を受信する。具体的には、照明器具１０ａは、照明システム１が備える複数の照明器具の点灯状態、及び、ホッピング回数を含む情報を照明器具１０ａから受信する（Ｓ１０でＹｅｓ）。なお、照明器具１０ｂに制御情報を送信した照明器具１０ａは、第１の照明器具の一例である。また、照明器具１０ｂが照明器具１０ａから受信した制御情報に含まれるホッピング回数は、第１のホッピング回数の一例である。以降では、一例として第１のホッピング回数が２回である場合について説明する。また、照明器具１０ｂが照明器具１０ａから受信した制御情報は、第１の情報の一例である。なお、照明器具１０ｂが制御情報を受信していない場合（Ｓ１０でＮｏ）、照明器具１０ｂは制御情報を受信するまで待機している。
【００６２】
送信元判定部３１は、無線通信部２０を介して制御情報を受信すると、制御情報の送信元の判定を行う。照明器具１０ｂが行う送信元の判定は、照明器具１０ａが行う送信元と判定と同様である。
【００６３】
次に、ホッピング回数取得部３２は、受信した制御情報から、第１のホッピング回数を取得する。照明器具１０ｂから受信した制御情報に含まれるホッピング回数は２回である。ステップＳ２０及びステップＳ３０の処理は、照明器具１０ａと同様である。なお、ホッピング回数取得部３２は、第２のホッピング回数として１回を取得する。
【００６４】
ステップＳ３０でＹｅｓであった場合、制御部３０は照明器具１０ａから受信した第１の情報と、ホッピング回数取得部３２で取得した第２のホッピング回数とから、他の照明器具に送信するための情報である第２の情報を生成する（Ｓ４０）。
【００６５】
ステップＳ４０で他の照明器具に送信するための第２の情報が生成されると、送信回数決定部３３は第２の情報を送信する送信回数を決定する（Ｓ５０）。ここでは、予め設定された計算式により決定される場合について説明する。予め定められた計算式とは、一例として、端末装置６０が送信した制御情報に含まれるホッピング回数をｎとし、照明器具１０ｂが制御信号を受信するまでにホッピングされた回数ｍとすると、（ｎ−ｍ）である。本実施の形態では、ｎは３回であり、ｍは２回（端末装置６０から照明器具１０ａに送信された１回、及び、照明器具１０ａから照明器具１０ｂに送信された１回）である。つまり、ｎ−ｍ＝１となり、照明器具１０ｂが第２の制御情報を送信する送信回数は１回となる。言い換えると、送信回数決定部３３は、予め設定された計算式により、送信回数を１回に決定する。
【００６６】
また、例えばテーブル７０を用いて送信回数を決定してもよい。具体的には、図２に示すように、送信回数決定部３３は、第１のホッピング回数から送信回数を決定してもよい。第１のホッピング回数は、２回である。テーブル７０から第１のホッピング回数に対応する送信回数は２回である。つまり、送信回数決定部３３は、第２の情報の送信回数を２回に決定する。そして、照明器具１０ｂは、他の照明器具に対して２回繰り返して第２の情報を送信する。
【００６７】
照明器具１０ａは、上記でも説明したように３回繰り返し情報を送信する。照明器具１０ｂは上記で説明したように１回又は２回、第２の情報を送信する。つまり、照明器具１０ｂは照明器具１０ａより送信回数が少ない。例えば、テーブル７０を用いた場合、送信回数決定部３３は、照明器具１０ａが送信した回数であり照明器具１０ａが受信したホッピング回数に対応する送信回数である３回（第１の送信回数の一例）から１回を減算した２回（第２の送信回数の一例）を照明器具１０ｂが受信したホッピング回数に対応する送信回数であると決定する。以降、照明器具１０ｂが第２の情報を送信する送信回数は２回である例について説明する。
【００６８】
送信回数が決定されると、制御部３０は無線通信部２０（送信部）を介して第２の情報を他の照明器具（図示しない）に繰り返し送信する（Ｓ６０）。例えば、制御部３０は、送信回数である２回繰り返して第２の情報を送信する。なお、照明器具１０ｂが第２の情報を送信する送信先である他の照明器具は、第２の照明器具の一例である。第２の照明器具は、１台であってもよいし、複数台であってもよい。
【００６９】
そして、制御部３０は、無線通信部２０を介して第２の情報を送信すると、第１の情報に含まれる制御情報に基づいて、光源部４０の動作を制御する。光源部４０の制御についても、照明器具１０ａと同様であり、説明を省略する。
【００７０】
上記のように、制御情報がホッピングされた回数に応じて、照明器具が制御情報を送信する回数が決定される。具体的には、送信回数決定部３３は、ホッピング回数が少ないほど少ない回数を送信回数として決定する。そのため、制御情報がホッピングされるに従って、制御情報を受信した照明器具が他の照明器具に制御情報を繰り返し送信する回数（送信回数）は減っていく。
【００７１】
上記のように、照明器具１０ｂは、無線通信により照明器具１０ａ（第１の照明器具の一例）から受信した第１の情報から第２の情報を生成し、当該第２の情報を他の照明器具（第２の照明器具の一例）に送信する。言い換えると、照明器具１０ｂは、照明器具１０ａから受信した点灯情報を第２の照明器具に転送する役割を有する。照明器具１０ｂが他の照明器具に第２の情報を送信する送信回数は、第１のホッピング回数が少ないほど少ない送信回数に決定される。例えば、送信回数決定部３３は、照明器具１０ａが送信した送信回数より少ない回数を送信回数に決定する。また、例えば、送信回数決定部３３は、照明器具１０ａが送信した送信回数である第１の送信回数（照明器具１０ａが受信したホッピング回数に対応する送信回数であり、例えば３回）から１を減算した第２の送信回数（照明器具１０ｂが受信したホッピング回数に対応する送信回数であり、例えば２回）を送信回数に決定する。
【００７２】
これにより、ホッピングされる度に、受信した照明器具が他の照明器具に第２の情報を送信する送信回数が減る。つまり、照明システム１全体として、情報が送信される送信回数（言い換えると、送信される情報量）が減る。よって、無線信号同士が干渉することを抑制することができるので、制御情報の受信確率を向上させることができる。例えば、照明システム１が備える照明器具の数が多くても、制御情報を送信する送信回数を抑制できるので、無線信号同士の干渉を低減できる。つまり、照明器具の数が多くても、本実施の形態に係る照明システム１は、高い受信確率を維持することができる。
【００７３】
［３．効果］
次に、本実施の形態に係る照明器具１０ａ、１０ｂの効果について説明する。
【００７４】
本実施の形態に係る照明器具１０ａ、１０ｂは、無線通信により端末装置６０又は第１の照明器具から受信した情報を第２の照明器具（例えば、照明器具１０ｂ）に転送するマルチホップ機能を備える照明器具（例えば、照明器具１０ａ）であって、光源（光源部４０）と、照明器具（例えば、照明器具１０ａ）の点灯状態、及び、第１のホッピング回数に関する情報を含む第１の情報を端末装置６０又は第１の照明器具から受信する受信部（例えば、無線通信部２０）と、第１の情報に含まれる第１のホッピング回数から１を減算することで第２のホッピング回数を取得するホッピング回数取得部３２と、第２のホッピング回数が１以上である場合、点灯状態、及び、第２のホッピング回数に関する情報を含む第２の情報を第２の照明器具に送信する送信部（例えば、無線通信部２０）と、第２の情報を第２の照明器具に繰り返し送信する送信回数を決定する送信回数決定部３３とを備える。そして、送信回数決定部３３は、第１のホッピング回数が少ないほど少ない回数を送信回数として決定し、送信部は、送信回数決定部３３が決定した送信回数、第２の情報の送信を繰り返す。
【００７５】
これにより、第１のホッピング回数に応じて第２の情報を送信する送信回数が決定される。また、第１のホッピング回数は、制御情報がホッピングされる（送信される）に従って少ない値となる。具体的には、第１のホッピング回数は、１回ホッピングされるごとに、端末装置６０が送信したホッピング回数から１ずつ少なくなる。送信回数決定部３３は第１のホッピング回数が少ないほど少ない回数を送信回数として決定するので、制御情報がホッピングされるごとに当該制御情報を受信した照明器具が制御情報を他の照明器具に送信する送信回数は少なくなる。よって、複数の照明器具を備える照明システム１を住宅などで使用した場合、照明器具同士が無線通信する制御情報の送信回数を減らすことができるので、無線信号の干渉が発生することを抑制でき、制御情報の受信確率を向上させることができる。特に、多数の照明器具を備える照明システム１に対して、より高い効果を奏する。つまり、本実施の形態に係る照明器具は、使用環境に応じて適切に無線通信を行うことができる。
【００７６】
また、照明器具（例えば、照明器具１０ａ）が端末装置６０から第１の情報を受信した場合には、送信回数決定部３３は、３以上の回数を送信回数として決定し、照明器具（例えば照明器具１０ｂ）が第１の照明器具（例えば、照明器具１０ａ）から第１の情報を受信した場合には、送信回数決定部３３は、第１の照明器具が送信した回数であり第１のホッピング回数に対応する送信回数である第１の送信回数から１を減算した第２の送信回数を第２のホッピング回数に対応する送信回数として決定してもよい。
【００７７】
これにより、端末装置６０から第１の情報を受信した照明器具１０ａ（Ｂｒｉｄｇｅ器具）は第２の情報を３回以上繰り返し送信するので、照明器具１０ｂ（第２の照明器具）が第２の情報を受信する受信確率を向上することができる。そして、照明器具１０ａから送信された第２の情報を受信した照明器具１０ｂは、さらに他の照明器具に第２の情報を送信する。よって、照明システム１が備える複数の照明器具の全てが制御情報を受信できる受信確率を向上させることができる。
【００７８】
また、送信回数決定部３３は、照明器具１０ｂが第２の情報を送信する送信回数を第１の送信回数から１を減算した第２の送信回数に決定することで、照明器具１０ｂの送信回数は照明器具１０ａの送信回数より少なくなる。つまり、照明システム１の制御情報の送信回数を減らすことができるので、無線信号同士の干渉を低減できる。
【００７９】
上記に記載したように、Ｂｒｉｄｇｅ器具が送信する送信回数を３回以上に決定し、かつ第２の照明器具は第１の照明器具より送信回数を少なくすることで、制御情報を送信する送信回数を減らしつつ、受信確率を向上させることができる。
【００８０】
（実施の形態２）
以下、本実施の形態に係る端末装置を含む照明システムについて、図５Ａ〜図６を参照しながら説明する。本実施の形態では、店舗等に展示された複数の照明器具の中から、デモなどのために所定の照明器具のみを制御する場合について説明する。
【００８１】
本実施の形態に係る照明システム１００は、複数の照明器具（照明器具１０ａ、１０ｂ、１０ｃ）及びリモコン１１０（遠隔操作装置）を備える。複数の照明器具及びリモコン１１０は、無線通信機能を有しており、複数の照明器具は、リモコン１１０から送信される制御情報に基づいて点灯状態を変更する。なお、図５Ａ及び図５Ｂでは、照明器具が３台である例を示しているが、照明システム１００が備える照明器具の数は特に限定されない。また、本実施の形態に係る複数の照明器具は、実施の形態１で説明した照明器具と同一の構成であり、照明器具の説明は省略する。なお、照明システム１００に用いられる照明器具は実施の形態１に係る照明器具に限定されない。無線通信機能を有する照明器具であればよい。
【００８２】
本実施の形態に係る照明システム１００について、図５Ａ及び図５Ｂを参照しながら説明する。図５Ａは、リモコン１１０が通常使用モードで動作している場合の制御情報の転送経路を含む、照明システム１００の全体構成を示すブロック図である。図５Ｂは、リモコン１１０が非通常使用モードで動作している場合の制御情報の転送経路を含む、照明システム１００の全体構成を示すブロック図である。
【００８３】
まず、リモコン１１０について説明する。なお、図５Ａ及び図５Ｂのリモコン１１０及び複数の照明器具はそれぞれ同一の構成であり、図５Ａを用いて説明する。
【００８４】
図５Ａに示すように、リモコン１１０は、モード取得部１２０、入力部１３０、制御部１４０、記憶部１５０、及び、無線通信部１６０を備える。
【００８５】
モード取得部１２０は、複数の照明器具を動作させるモードの切り替えをユーザから受け付ける取得部である。本実施の形態では、リモコン１１０は、照明システム１００に含まれる複数の照明器具を動作させる通常使用モードと、照明システム１００に含まれる複数の照明器具のうち、特定の照明器具のみを動作させる非通常使用モードの２つのモードを有する。例えば、通常使用モードとは、住宅やオフィスなどに設置された複数の照明器具を略同時に動作させる場合に用いられるモードであり、非通常使用モードとは、店頭に展示されている複数の照明器具の中から特定の照明器具のみを動作させる、又は工場などで照明器具を検査するために特定の照明器具のみを動作させる場合に用いられるモードである。なお、リモコン１１０は、それ以外のモードを有していてもよい。
【００８６】
モード取得部１２０は、例えばスイッチであり、ユーザがスイッチを切り替えることにより２つのモードの切り替えを取得してもよいし、入力部１３０に対して所定の操作が行われることでモードの切り替えを取得してもよい。例えば、所定の操作とは、入力部１３０がボタンである場合、所定のボタンを一定時間以上長押しするなどである。また、図示していないが、リモコン１１０は、現在設定されているモードなどを表示する表示部を備えていてもよい。
【００８７】
入力部１３０は、ユーザからの照明器具の点灯状態の指示を受け付けるユーザインターフェースであり、例えば押しボタンなどである。
【００８８】
制御部１４０は、ユーザの操作に応じて、各部を制御する。例えば、ユーザから入力部１３０を介して点灯状態が入力（点灯状態の変更が入力）されると、制御部１４０は無線通信部１６０（出力部の一例）を介して制御情報を照明器具に送信する。図５Ａ及び図５Ｂでは、リモコン１１０は照明器具１０ａに対して、制御情報を送信している例を示している。
【００８９】
制御部１４０は、記憶部１５０に記憶された制御プログラムを実行するプロセッサであるが、マイクロコンピュータ又は専用回路などにより実現されてもよい。
【００９０】
制御部１４０が有するホッピング回数決定部１４１は、送信する制御情報に含まれるホッピング回数を決定する。具体的には、ホッピング回数決定部１４１は、現在設定されているモードに応じて、ホッピング回数を決定する。例えば、ホッピング回数決定部１４１は、通常使用モードに設定されている場合には、予め定められているホッピング回数を制御情報として送信するホッピング回数に決定し、非通常使用モードに設定されている場合には、制御情報として送信するホッピング回数を１回に決定する。本実施の形態に係るリモコン１１０は、モードに応じてホッピング回数を変更することができ、非通常使用モードに設定されている場合のホッピング回数を１回に決定する点に特徴を有する。なお、予め設定されている場合のホッピング回数は、例えば、記憶部１５０に記憶されており、ホッピング回数決定部１４１は、通常設定モードである場合、記憶部１５０から読みだしたホッピング回数を制御情報として送信するホッピング回数に決定してもよい。
【００９１】
記憶部１５０は、制御部１４０が実行する制御プログラム、及び、ホッピング回数などが記憶される記憶装置である。例えば、記憶部１５０は、フラッシュメモリ又は半導体メモリなどにより実現される。
【００９２】
無線通信部１６０は、無線通信を行う無線通信インターフェースである。無線通信部１６０は、無線通信の通信相手装置との間で無線通信接続を確立したうえで、通信相手装置と無線通信を行う。本実施の形態では、無線通信部１６０は、照明器具（本実施の形態では、照明器具１０ａ）との無線通信接続を確立する。無線通信部１６０は、制御情報を送信する出力部の一例である。なお、無線通信とは、一例として、Ｂｌｕｅｔｏｏｔｈ（登録商標）の通信規格を用いた無線通信である。その場合、無線通信部１６０は、Ｂｌｕｅｔｏｏｔｈ（登録商標）の通信規格に対応した通信モジュール（通信回路）である。なお、Ｂｌｕｅｔｏｏｔｈ（登録商標）の通信規格に限定されず、無線ＬＡＮ（例えば、Ｗｉ−Ｆｉ（登録商標））などの通信規格を用いた無線通信であってもよい。
【００９３】
なお、本実施の形態に係る照明器具１０ａ、１０ｂ、１０ｃは、マルチホップ通信を行う。具体的には、照明器具１０ａはリモコン１１０からの制御情報を無線通信部を介して受信すると、当該制御情報をリモコン１１０から制御情報を受信していない照明器具１０ｂ、１０ｃに無線通信部を介して送信する。また、例えば、記憶部１５０は送信するための情報である経路情報を記憶しており、制御部１４０は当該経路情報に応じて制御情報を照明器具に送信してもよい。つまり、本実施の形態に係る照明器具１０ａ、１０ｂ、１０ｃは、マルチホップ機能を有する照明器具である。また、本実施の形態に係るリモコン１１０は、マルチホップ機能を有する複数の照明器具の動作を制御するための遠隔操作装置である。
【００９４】
続いて、リモコン１１０の動作について、図６を参照しながら説明する。図６は、本実施の形態に係るリモコン１１０の動作を示すフローチャートである。
【００９５】
リモコン１１０が入力部１３０を介してユーザからの点灯状態の変更を受け付ける（Ｓ１１０でＹｅｓ）と、ホッピング回数決定部１４１は現在設定されているモードの確認を行う。現在設定されているモードが通常使用モードである場合（Ｓ１２０でＹｅｓ）、ホッピング回数決定部１４１は、制御情報として送信するホッピング回数を予め定められたホッピング回数に決定する（Ｓ１３０）。また、現在設定されているモードが非通常使用モードである場合（Ｓ１２０でＮｏ）、ホッピング回数決定部１４１は、制御情報として送信するホッピング回数を１回に決定する（Ｓ１４０）。なお、入力部１３０を介してユーザからの点灯状態の変更を受け付けていない場合（Ｓ１１０でＮｏ）、リモコン１１０は点灯状態の変更を受け付けるまで待機している。
【００９６】
ホッピング回数がホッピング回数決定部１４１により決定されると、制御部１４０は、当該ホッピング回数と入力部１３０が受け付けた点灯状態とから、送信する制御情報を生成して（Ｓ１５０）、当該制御情報を無線通信部１６０（出力部）を介して照明器具１０ａに送信する。なお、制御情報には、送信元アドレス（例えば、リモコン１１０のデバイスＩＤなど）及び送信先アドレス（例えば、照明器具１０ａのデバイスＩＤなど）が含まれる。
【００９７】
例えば、従来では、リモコンが制御情報を送信する際の出力を変更することで、モードを切り替えることが行われている。具体的には、特定の照明器具のみ動作させる場合には、制御情報を送信する際の出力を下げることで制御情報が特定の照明器具のみに届くようにしている。しかしながら、本実施の形態に係る照明器具のようにマルチホップ通信を行う照明器具であれば、照明器具の少なくとも１台がリモコンから制御情報を受信すると、マルチホップ通信により他の照明器具も当該制御情報を受信してしまう。つまり、従来の方法では、マルチホップ通信を行う複数の照明器具の中から、特定の照明器具のみを動作させることが困難であった。
【００９８】
一方、本実施の形態に係るリモコン１１０は、モードに応じて送信する制御情報を変更している。具体的には、制御情報に含まれるホッピング回数をモードに応じて変更している。例えば、非通常使用モードであれば、特定の照明器具のみが動作すればよいので、制御情報に含まれるホッピング回数を１回とすることで、当該制御情報を受信した照明器具は、他の照明器具に当該制御情報を転送しない。これにより、マルチホップ通信を行う複数の照明器具の中から、特定の照明器具のみを動作させることができる。
【００９９】
続いて、通常使用モード及び非通常使用モードでの制御情報の転送経路をについて、図５Ａ及び図５Ｂを用いて説明する。
【０１００】
図５Ａは、通常使用モードでの制御情報の転送経路を示している。例えば、予め定められているホッピング回数が３回である場合、リモコン１１０はホッピング回数が３回である制御情報（図５Ａに示すＴＴＬ＝３）を照明器具１０ａに送信する。照明器具１０ａは、受信した制御情報に含まれるホッピンング回数（第１のホッピング回数の一例）から１を減算したホッピング回数（第２のホッピング回数の一例）が２回である、つまり第２のホッピング回数が１回以上であるので、他の照明器具（例えば、照明器具１０ｂ、１０ｃ）に制御情報を送信する。つまり、照明器具１０ａは、他の照明器具に制御情報を転送する。そして、照明器具１０ａから制御情報を受信した照明器具１０ｂ、１０ｃは、それぞれ別の照明器具（図示しない）に制御情報を送信する。これにより、複数の照明器具にリモコン１１０からの制御情報を受信させることができる。
【０１０１】
なお、照明器具１０ａが制御情報を送信する送信先である照明器具１０ｂ、１０ｃは、第２の照明器具の一例である。また、照明器具１０ｂ、１０ｃからみると、照明器具１０ｂ、１０ｃに制御情報を送信する照明器具１０ａは第１の照明器具の一例であり、照明器具１０ｂ、１０ｃが制御情報を送信する別の照明器具は第２の照明器具の一例である。
【０１０２】
また、図５Ｂは、非通常使用モードでの制御情報の転送経路を示している。リモコン１１０は、ホッピング回数が１回である制御情報（図５Ｂに示すＴＴＬ＝１）を照明器具１０ａに送信する。照明器具１０ａは受信した制御情報に含まれるホッピング回数（第１のホッピング回数の一例）から１を減算したホッピング回数（第２のホッピング回数の一例）が０回であるので、他の照明器具に制御情報の転送を行わない。これにより、リモコン１１０からの制御情報を特定の照明器具（例えば、照明器具１０ａ）のみに受信させ、制御情報を受信した照明器具のみを動作させることができる。また、照明器具側での設定の変更などをすることなく、リモコン１１０のモード取得部１２０でモードを変更するといった簡単な操作で、特定の照明器具のみを動作させることができる。
【０１０３】
なお、リモコン１１０は、非通常モードである場合、出力を下げて制御情報を照明器具に送信してもよい。これにより、より確実に特定の照明器具のみを動作させることができる。また、上記では制御信号をリモコン１１０が送信する例について説明したが、これに限定されない。例えば、スマートフォンつまり高機能携帯電話端末、携帯電話端末、タブレット端末、又はＰＣ（Ｐｅｒｓｏｎａｌ  Ｃｏｍｐｕｔｅｒ）等により実現されてもよい。つまり、リモコン１１０は端末装置の一例である。
【０１０４】
本実施の形態に係る端末装置は、無線通信により受信した情報を他の照明器具（例えば、照明器具１０ｂ、１０ｃ）に転送するマルチホップ機能を備える照明器具を操作するための端末装置であって、端末装置は、通常使用モードと非通常使用モードとの切り替えを受け付けるモード取得部１２０と、ユーザから照明器具の点灯状態を受け付ける入力部１３０と、ホッピング回数を決定するホッピング回数決定部１４１と、点灯状態、及び、ホッピング回数に関する情報を含む制御情報を照明器具（例えば、照明器具１０ａ）に送信する出力部（例えば、無線通信部１６０）とを備える。そして、ホッピング回数決定部１４１は、通常使用モードに設定されている場合には、予め定められているホッピング回数が制御情報として送信するホッピング回数であると決定し、非通常使用モードに設定されている場合には、制御情報として送信するホッピング回数は１回であると決定する。
【０１０５】
これにより、ユーザが端末装置（例えば、リモコン１１０）でモードの切り換えを行うといった簡単な操作で、特定の照明器具（例えば、照明器具１０ａ）のみを動作させるか否かを変更することができる。具体的には、非通常使用モードに設定されている場合に、ホッピング回数決定部１４１はホッピング回数を１回に決定し、決定したホッピング回数を含む制御情報を照明器具１０ａに送信することで、当該制御情報を受信した照明器具１０ａのみを動作させることができる。つまり、端末装置は、通常使用モード又は非通常使用モードなどの使用環境に応じて、動作させる照明器具（ユーザが意図している照明器具）のみに制御情報を受信させることができる。よって、本実施の形態に係る端末装置は、使用環境に応じて適切に無線通信を行うことができる。
【０１０６】
（その他の実施の形態）
以上、本発明について実施の形態に基づいて説明したが、本発明は、上記実施の形態に限定されるものではない。
【０１０７】
例えば、上記実施の形態では、照明器具は制御情報を他の照明器具に送信した後に光源の点灯状態を制御する例について説明したが、これに限定されない。例えば、制御情報の送信と光源の点灯状態の制御とを平行して行ってもよい。
【０１０８】
また、上記実施の形態において、特定の処理部が実行する処理を別の処理部が実行してもよい。また、複数の処理の順序が変更されてもよいし、複数の処理が並行して実行されてもよい。
【０１０９】
また、上記実施の形態では、テーブルは、第１のホッピング回数と送信回数とが関連付けられたテーブルであったが、これに限定されない。例えば、テーブルは、第２のホッピング回数と送信回数とが関連付けられたテーブルでもよい。
【０１１０】
以上、一つまたは複数の態様に係る照明器具及び端末装置について、実施の形態に基づいて説明したが、本発明は、上記実施の形態に限定されるものではない。本発明の主旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【０１１１】
１０ａ、１０ｂ、１０ｃ    照明器具
２０    無線通信部（受信部、送信部）
３１    送信元判定部
３２    ホッピング回数取得部
３３    送信回数決定部
４０    光源
６０    端末装置
１１０    リモコン
１２０    モード取得部
１３０    入力部
１４１    ホッピング回数決定部
１６０    無線通信部（出力部）
【図１】
2018133217.tif 000003
【図２】
2018133217.tif 000004
【図３】
2018133217.tif 000005
【図４】
2018133217.tif 000006
【図５Ａ】
2018133217.tif 000007
【図５Ｂ】
2018133217.tif 000008
【図６】
2018133217.tif 000009